(57)【要約】【課題】  障害物への衝突によって伸縮式の竿部が縮むことを防止できる作業性に優れたケーブルキャッチを提供する。【解決手段】  ケーブルキャッチ１は、複数の入れ子状に組み合わされた中空筒体２ａ〜２ｄからなる伸縮自在な竿部２と、フレキ管４と、ケーブル把持部５と、竿部内に後端部のロッド挿入口から挿入される、相互にねじ連結可能な複数のロッド３から構成されている。竿部を伸ばす際は、竿部内にロッドを順次継ぎ足しながら挿入していく。また、ロッド挿入口からロッドを引き出すことで竿部を縮めることができる。竿部内にロッドを挿入することにより、障害物への衝突による竿部の収縮が防止される。竿部が伸長した状態で、ロッド挿入口から後方に突出しているロッドを前方へ押動するとケーブル把持部の把持爪５ａが開き、押動を解除すると閉じてケーブルを掴むことができる。【選択図】  図１
0003204265.tif 000002
【実用新案登録請求の範囲】
【請求項１】
複数の中空筒体が順次入れ子状に組み合わされ、最も外側の中空筒体の後端部にロッド挿入口が設けられている伸縮自在な竿部と、
前記竿部内にロッド挿入口から挿入可能な外径を有し、相互間で長手方向にねじ連結可能な複数のロッドと、
前記竿部の最も内側の中空筒体の前端に後端が連結されたフレキ管と、
前記フレキ管の前端に取り付けられたケーブル把持部とを備え、
前記ケーブル把持部は、フレキ管内に配置された操作ワイヤの前方への押動により開き、押動解除により閉じるケーブル把持爪を有し、
前記操作ワイヤの後端は、竿部内に挿入されているロッドの前端と連結され、ロッド挿入口から後方に突出させたロッドの進退操作により、操作ワイヤを介してケーブル把持爪の開閉操作を行うようにしたことを特徴とするケーブルキャッチ。
【請求項２】
複数の中空筒体が順次入れ子状に組み合わされ、最も外側の中空筒体の後端部にロッド挿入口が設けられている伸縮自在な竿部と、
前記竿部内にロッド挿入口から挿入可能な外径を有し、相互間で長手方向にねじ連結可能な複数のロッドと、
前記竿部の最も内側の中空筒体の前端に後端が連結されたフレキ管と、
前記フレキ管の前端に取り付けられたケーブル係合フックとを備え、
竿部内に挿通されているロッドの前端が、竿部の最も内側の中空筒体に直接的または間接的にねじ連結されることを特徴とするケーブルキャッチ。
【請求項３】
複数の中空筒体が順次入れ子状に組み合わされ、最も外側の中空筒体の後端部にロッド挿入口が設けられている伸縮自在な竿部と、
前記竿部内にロッド挿入口から挿入可能な外径を有し、相互間で長手方向にねじ連結可能な複数のロッドと、
前記竿部の最も内側の中空筒体の前端に後端が連結されたフレキ管と、
前記竿部内に挿通されているロッドの前端に一方の端が連結され、フレキ管内を通って他方の端が当該フレキ管の前端から外部に露出してケーブル係合フックに連結されたボールチェーンとを備え、
ロッド挿入口から後方に突出させたロッドの前進操作により、ボールチェーンをフレキ管から繰り出してケーブル係合フックを下降させるとともに、当該ロッドの後退操作により、ボールチェーンをフレキ管内に引き込んで、ケーブル係合フックを引き上げるようにしたことを特徴とするケーブルキャッチ。
【請求項４】
長手方向に連続するスリットを有する曲管状に形成され、当該スリットを弾性的に拡げてフレキ管に側方から外嵌可能な、フレキ管形状保持カバーを備えていることを特徴とする、請求項１乃至３の何れかに記載のケーブルキャッチ。
【考案の詳細な説明】
【技術分野】
【０００１】
本考案は、天井や壁の内部に電線や電話線等のケーブル類を通す作業において用いられる、伸縮式の竿を有するケーブルキャッチに関する。
【背景技術】
【０００２】
従来、天井や壁の内部を通して電線や電話線等のケーブルを配線する場合に使用する配線用具（ケーブルキャッチ）としては、例えば、特許文献１や特許文献２に記載されているような、複数段の中空筒体（パイプ）からなる伸縮自在な竿の先端に、電線を引っ掛けて牽引又は送り渡しするフックを備えたものが提案されている。
【先行技術文献】
【特許文献】
【０００３】
【特許文献１】特開平８−１６８１２９号公報
【特許文献２】特開平１０−６６２１５号公報
【考案の概要】
【考案が解決しようとする課題】
【０００４】
このような従来の配線用具は、例えば、天井の開口部から天井裏に差し込んで作業する場合に、長い竿を予め伸長させた状態では狭い開口部から差し込むことが困難であった。また、前記特許文献１において提案されている「配線用作業杆」においては、竿の先端ないし先端近傍部分を自由状態で円弧状を維持するように構成して、竿が撓んで先端部が天井裏の梁等の障害物に当たったときにこの円弧状部分で障害物を乗り越えられるようにしているが、障害物に当たった衝撃で竿が縮んでしまうと、竿の先端が目的の位置まで到達できなくなる問題があった。
【０００５】
また、前記特許文献２において提案されている「ケーブルキャッチャー」においては、それぞれのパイプの継手部分に戻り防止のストッパーを設けて、先端が障害物に当たった時に継手部分が不用意に縮まないようにする提案がなされているが、各継手部分にストッパを設けているため構造が複雑になるとともに、伸ばした状態のケーブルキャッチャーを縮める際には、全てのパイプの継手部分のストッパーを個別に解除する必要があるため、パイプの段数が多いと作業性が低下する問題があった。
【０００６】
そこで、本考案は、前述したような従来技術における問題を解消し、障害物への衝突によって伸縮式の竿部が縮むことを防止できる、作業性に優れたケーブルキャッチを提供することを目的とする。
【課題を解決するための手段】
【０００７】
前記課題を解決するために提供される本考案のケーブルキャッチの第１のものは、複数の中空筒体が順次入れ子状に組み合わされ、最も外側の中空筒体の後端部にロッド挿入口が設けられている伸縮自在な竿部と、前記竿部内にロッド挿入口から挿入可能な外径を有し、相互間で長手方向にねじ連結可能な複数のロッドと、前記竿部の最も内側の中空筒体の前端に後端が連結されたフレキ管と、前記フレキ管の前端に取り付けられたケーブル把持部とを備え、前記ケーブル把持部は、フレキ管内に配置された操作ワイヤの前方への押動により開き、押動解除により閉じるケーブル把持爪を有し、前記操作ワイヤの後端は、竿部内に挿入されているロッドの前端と連結され、ロッド挿入口から後方に突出させたロッドの進退操作により、操作ワイヤを介してケーブル把持爪の開閉操作を行うようにしたことを特徴としている。
【０００８】
また、本考案のケーブルキャッチの第２のものは、複数の中空筒体が順次入れ子状に組み合わされ、最も外側の中空筒体の後端部にロッド挿入口が設けられている伸縮自在な竿部と、前記竿部内にロッド挿入口から挿入可能な外径を有し、相互間で長手方向にねじ連結可能な複数のロッドと、前記竿部の最も内側の中空筒体の前端に後端が連結されたフレキ管と、前記フレキ管の前端に取り付けられたケーブル係合フックとを備え、竿部内に挿通されているロッドの前端が、竿部の最も内側の中空筒体に直接的または間接的にねじ連結されることを特徴としている。
【０００９】
さらに、本考案のケーブルキャッチの第３のものは、複数の中空筒体が順次入れ子状に組み合わされ、最も外側の中空筒体の後端部にロッド挿入口が設けられている伸縮自在な竿部と、前記竿部内にロッド挿入口から挿入可能な外径を有し、相互間で長手方向にねじ連結可能な複数のロッドと、前記竿部の最も内側の中空筒体の前端に後端が連結されたフレキ管と、前記竿部内に挿通されているロッドの前端に一方の端が連結され、フレキ管内を通って他方の端が当該フレキ管の前端から外部に露出してケーブル係合フックに連結されたボールチェーンとを備え、ロッド挿入口から後方に突出させたロッドの前進操作により、ボールチェーンをフレキ管から繰り出してケーブル係合フックを下降させるとともに、当該ロッドの後退操作により、ボールチェーンをフレキ管内に引き込んで、ケーブル係合フックを引き上げるようにしたことを特徴としている。
【００１０】
前記それぞれの考案においては、長手方向に連続するスリットを有する曲管状に形成され、当該スリットを弾性的に拡げてフレキ管に外嵌することが可能な、曲管状のフレキ管形状保持カバーを備えていることが好ましい。
【考案の効果】
【００１１】
請求項１に記載した考案に係るケーブルキャッチによれば、伸縮自在な竿部を伸長させて、天井内や壁の内側に配線工事を行う場合に、竿部の伸長長さに応じて、必要な本数連結したロッドを竿部内に挿入することにより、竿部の前方に連結されているフレキ管等の部分が障害物に当たった場合に、竿部の収縮を竿部内に挿入したロッドで防止することができる。
【００１２】
また、竿部前端側の細い中空筒体に作用する曲げ荷重は、その内部に挿入されているロッドにも分担されるため、前端部分の撓みを低減することができ、竿部前方に設けられているケーブル把持爪を目的の位置まで確実且つ容易に届かせることができる。
【００１３】
また、把持爪はフレキ管によって所望の向きに設定できるとともに、竿部を伸長させた状態で、ロッド挿入口から後方に突出しているロッドの後端を押動することで開き、押動の解除により閉じるため、目的のケーブルを容易に掴むことができるとともに、前記ロッドの後端をさらに竿部から引き出していくことによって竿部は収縮し、掴んだケーブルを手元側へ引き寄せることができる。
【００１４】
また、竿部後端のロッド挿入口からロッドを順次連結しながら竿部内に送り込むことで竿部を伸長することができるとともに、前記ロッド挿入口からロッドを引き出すことで竿部を収縮することができ、竿部外に引き出したロッドは順次前方のロッドから分離することができるため、狭い場所での竿部の伸縮を容易に行うことができる。
【００１５】
請求項２に記載した考案に係るケーブルキャッチによれば、前述した請求項１の考案と同様に、竿部前方に連結されているフレキ管等の部分が障害物に当たった場合の竿部の収縮を阻止することができる。
【００１６】
また、竿部前端側の細い中空筒体の撓みがその内部に挿入されているロッドによって撓みを低減されるため、竿部前方のケーブル係合フックを目的の位置まで確実に届かせてケーブルに容易に係合させることができる。さらに、ロッドどうしが連結・分離できるため、狭い場所での竿部の伸縮を容易に行うことができる。
【００１７】
請求項３に記載した考案に係るケーブルキャッチによれば、下方に湾曲させたフレキ管の先端を垂直壁の上端からその内部に差し込んで、竿部後端のロッド挿入口から後方に突出させたロッドを当該ロッド挿入口内へ送り込む操作をすることにより、前記垂直壁の内部にケーブル係合フックを降ろすことができるとともに、壁内の下方でケーブル係合フックにケーブルを係合させた後、前記ロッドを前記ロッド挿入口から引き戻す操作することにより当該ケーブルを引き上げることができる。
【００１８】
また、前記請求項１及び請求項２に記載した考案と同様に、竿部後端のロッド挿入口から竿部外に引き出したロッドは順次前方のロッドから分離することができるため、狭い場所での作業が可能である。
【００１９】
請求項４に記載した考案に係るケーブルキャッチによれば、フレキ管に外嵌する曲管状のフレキ管形状保持カバーを備えているため、フレキ管に設定した湾曲形状が障害物との衝突で変形してしまうことによる作業性の低下を防ぐことができる。
【００２０】
また、前記フレキ管形状保持カバーは、スリットを弾性的に拡げてフレキ管に側方から外嵌可能であるため、フレキ管に簡単に着脱できるとともに、作業場所の状況に応じて設定したフレキ管の湾曲形状に合わせて、湾曲形状の異なるものを複数用意し、選択的に用いることが可能である。
【図面の簡単な説明】
【００２１】
【図１】本考案のケーブルキャッチの第１の実施形態を示す側面図である。
【図２】図１に示すケーブルキャッチの分解図である。
【図３】図１に示すケーブルキャッチの竿部後端近傍部分の縦断面図である。
【図４】図１に示すケーブルキャッチの竿部とフレキ管の連結部の縦断面図である。
【図５】図４に示す連結部を分離した状態における縦断面図である。
【図６】把持爪が閉じた状態におけるケーブル把持部の縦断面図である。
【図７】把持爪が開いた状態におけるケーブル把持部の縦断面図である。
【図８】本考案のケーブルキャッチの第２の実施形態におけるフレキ管と竿部の連結部の断面構造を含む部分側面図である。
【図９】図８に示すケーブルキャッチの連結部を分離した状態の断面構造を含む部分平面図である。
【図１０】フレキ管へ装着するフレキ管形状保持カバーの斜視図である。
【図１１】本考案のケーブルキャッチの第３の実施形態を示す側面図である。
【図１２】図１１に示すケーブルキャッチの竿部前方部分の構造を示す縦断面図である。
【考案を実施するための形態】
【００２２】
以下、図面に基づいて本考案の実施形態を説明する。
図１は、本考案のケーブルキャッチの第１の実施形態を示す側面図、図２はその分解図であって、これらの図に示すように、本考案のケーブルキャッチ１は、釣り竿状の伸縮自在な竿部２、複数のロッド３、フレキ管４、及び、先端にケーブル把持爪５ａを備えたケーブル把持部５を主要な部品として構成されている。
【００２３】
前記竿部２は、入れ子状に組み合わされた複数の中空筒体２ａ〜２ｄから構成されている。なお、ここでは、竿部２の前後の向きを、最も外側の中空筒体２ａ側を後側、最も内側の中空筒体２ｄ側を前側として説明する。
【００２４】
これらの中空筒体２ａ〜２ｄは、グラスファイバーやカーボンファイバーを含む強化樹脂で製作されており、それぞれ、前端に向けて僅かに先細りとなるテーパー状に形成されて、伸長状態で相互の内外周面どうしが摩擦固定されるようになっている。
【００２５】
図３に示すように、最も外側の中空筒体２ａの後端部には、樹脂又はゴム製のキャップ６が嵌着されており、このキャップ６の後端面の中心部には、当該中空筒体２ａの内部に連通するロッド挿入口６ａが形成されている。
【００２６】
前記ロッド挿入口６ａの内径は、ロッド３の外径より僅かに大きく形成されている。なお、キャップ６を省略し、中空筒体２ａの後端面を有底として、その中心部に直接このようなロッド挿入口を形成してもよい。
【００２７】
前記ロッド３は、図２に示すように、相互間で長手方向にねじ連結可能に構成されていて、竿部２を伸ばしていく際に、竿部２の伸長長さに応じて順次継ぎ足して前記ロッド挿入口６ａから竿部２内に挿入される。なお、ロッド３の素材には金属材を用いることもできるが、軽量化のため、竿部２と同様な強化樹脂を用いることが望ましい。
【００２８】
図２に一部を拡大して示しているように、それぞれのロッド３の一端には雄ねじ側連結部３ａが、また、他端には雌ねじ側連結部３ｂが設けられていて、一方のロッド３の雄ねじ側連結部３ａを他方のロッドの雌ねじ側連結部３ｂに螺合することにより、両者を着脱自在に長手方向に連結できるようにしてある。なお、これらの雄ねじ側連結部３ａと雌ねじ部連結部３ｂは金属製であり、ロッド３と略同一外径を有している。
【００２９】
竿部２の前端部分となる最も内側の中空筒体２ｄの前端は、フレキ管４の後端と着脱自在に連結されている。図４はこの連結部分の断面図、図５は、前記連結部分を分離した状態の断面図であって、中空筒体２ｄの前端には、金属製の筒状の連結金具７が固定されている。
【００３０】
前記連結金具７は、その後側部分の内周面７ａが、中空筒体２ｄの前端部外周面に嵌合して接着固定されており、また、当該連結金具７の前側部分の外周面には、雄ねじ７ｂが形成されている。また、前記前側部分の内径は、中空筒体２ｄの前端部分の内径と略等しく、ロッド３が貫通可能に設定されている。
【００３１】
一方、フレキ管４の後端部外周面には、筒状の連結金具８が取り付けられている。前記連結金具８は、その前側部分の内周面８ａには、樹脂製の嵌着スリーブ９の外周面が嵌合して接着固定されている。この嵌着スリーブ９の内周面はフレキ管４の外周面に嵌着されている。また、連結金具８の後側部分の内周面には、前述した連結金具７の雄ねじ７ｂに螺合する雌ねじ８ｂが形成されている。
【００３２】
フレキ管４の内部には、操作ワイヤ１０が配置されている。この操作ワイヤ１０は、図１及び図２に示すケーブル把持部５に設けられているケーブル把持爪５ａを開閉操作するためのもので、フレキ管４の曲がりに沿って前後移動が可能な屈曲性を有している。なお、ケーブル把持部５の構造と動作については後述する。
【００３３】
図４及び図５に示すように、前記操作ワイヤ１０の後端には、円筒状の端末金具１１が固定されている。前記端末金具１１の後端面には、対向するロッド３の雄ねじ側連結部３ａと螺合するねじ穴１１ａが形成されており、前記ロッド３と端末金具１１を図４のように連結することによって、フレキ管４内の操作ワイヤ１０を、図３に示すロッド挿入口６ａから突出しているロッド３の前後動に連動するようにしてある。
【００３４】
次に、図６及び図７に基づいて、ケーブル把持部５の構造と動作について説明する。
これらの図に示すように、ケーブル把持部５の後端部には、横断面が円形のフレキ管取付凹部５ｂが形成されており、その内周面にはフレキ管４の前端部外周面に嵌着されている嵌着スリーブ１２の外周面が接着固定されている。
【００３５】
この嵌着スリーブ１２は、前述した嵌着スリーブ９と同様な構造である。なお、フレキ管４を前述した連結金具８やケーブル把持部５に連結する構造は、本実施形態に限定するものではなく、例えば、通常の水道配管等に用いるフレキ管の連結部と同様な構造であってもよい。
【００３６】
また、ケーブル把持部５の内部のフレキ管取付凹部５ｂの前方には、円筒状のガイド孔５ｃが前記フレキ管取付凹部５ｂの内周面と同軸に形成されている。前記ガイド孔５ｃには、可動駒１３の小径部１３ａが前後方向に摺動自在に嵌挿されている。
【００３７】
前記小径部１３ａの後端には、図示していない凹部が形成されていて、操作ワイヤ１０の前端部は前記凹部内に差し込まれて固定されている。また、ガイド孔５ｃの前方には、これより大径で横断面円形のばね収容室５ｄが、当該ガイド孔５ｃと同軸に形成されている。
【００３８】
また、前記可動駒１３は、小径部１３ａの前方に連続してばね収容室５ｄの内周面に遊嵌される円形のばね受部１３ｂと、さらにその前方に突出する把持爪取付部１３ｃとを有している。
【００３９】
また、前記ばね受部１３ｂの前側周縁部には、ばね収容室５ｄ内に収容されている圧縮コイルばね１４の後端内周面に嵌合する段差が形成されており、この段差部分が当該圧縮コイルばね１４の後端内周に嵌合している。
【００４０】
前記コイルばね１４は、ばね収容室５ｄの内径に適合する外径を有しており、その前端は、ばね収容室５ｄの内周面に取り外し可能に固定されているばね受けリング１５に当接している。図６に示す状態においては、コイルばね１４は前記ばね受リング１５と可動駒１３のばね受部１３ｂとの間で僅かに圧縮されており、その弾性付勢力によってばね受部１３ｂの後端面はばね収容室５ｄの後壁５ｅに押し当てられている。
【００４１】
可動駒１３の把持爪取付部１３ｃには、一対の板ばね状のケーブル把持爪５ａの基端部が両側から固定されている。また、ばね収容室５ｄの前端面は開放されていて、これらの把持爪５ａの先端部は、ばね収容室５ｄから前方に突出している。
【００４２】
前記一対のケーブル把持爪５ａは、外力が作用していない状態においては、先端側が開くように弾性習性を付与されて把持爪取付部１３ｃに固定されている。また、ばね収容室５ｄ内の前端近傍位置には、これらのケーブル把持爪５ａを案内する一対のガイドローラ１６が回転自在に設けられている。
【００４３】
図６に示すように、これらのケーブル把持爪５ａは、圧縮コイルばね１４の付勢力によって、可動駒１３が後退しているときは、それぞれガイドローラ１６に押されて閉じた状態が維持されている。
一方、図７に示すように、フレキ管４内部の操作ワイヤ１０によって、可動駒１３が圧縮コイルばね１４の付勢力に抗して前方に押されると、これに伴って一対のケーブル把持爪５ａは、前記一対のガイドローラ１６の前方へ突出し、これらの弾性習性により開放状態となる。
【００４４】
次に、前述したように構成されているケーブルキャッチ１によって、作業者から離れた位置にある天井内部等の奥にあるケーブルを手元に引き寄せる手順について説明する。ケーブルキャッチ１の竿部２内には、あらかじめ一本のロッド３を挿入して、その前端を図４のように操作ワイヤ１０と連結しておく。
【００４５】
なお、ロッド３は、竿部２を図２に示すように収縮させた状態では、図３のように、中空筒体２ａ後端のキャップ６に形成されているロッド挿入口６ａから後方に所定長さ突出する長さに設定されており、この状態から、中空筒体２ａを片方の手で保持し、もう一方の手で当該ロッド３のロッド挿入後６ａから突出している部分を押し込むことにより竿部２は伸長する。
【００４６】
その後、ロッド挿入口６ａから新たなロッド３の前端を前方のロッド３の後端に連結しながら竿部内に順次送り込むことで竿部２を伸長することができ、最終的には、図１に示すように、最大長まで
伸ばすことができる。
【００４７】
この際、竿部２前端側の中空筒体２ｄに作用する曲げ荷重は、その内部に挿入されているロッド３にも分担されるので、中空筒体２ｄが細くて肉薄であっても撓みを低減することができる。なお、中空筒体２ｄ内に挿入される前端部のロッド３の素材のみ、曲げ剛性の大きいステンレス鋼等を用いることで、竿部２前端側の撓みを効果的に抑えることができる。
【００４８】
こうして、図１のように、ケーブルキャッチ１の竿部２を完全に伸ばした状態で、中空筒体２ａの後方に突出しているロッド３をさらに竿部２内に押し込むと、当該ロッド３の変位は竿部２内で連結されている各ロッド３を介してフレキ管４内に配置されている操作ワイヤ１０を介してケーブル把持部５内部の可動駒１３に伝達される。
【００４９】
その結果、図７に示すように、前記可動駒１３は圧縮コイルばね１４の付勢力に抗して前方へ変位して一対のケーブル把持爪５ａが開くので、そのまま引き寄せようとするケーブルをこれらのケーブル把持爪５ａの間に位置させる。
【００５０】
次いで中空筒体２ａの後方に突出しているロッド３を押す力を緩めると、可動駒１３は、図６に示すように、前記圧縮ばね１４の付勢力で後退し、一対のケーブル把持爪５ａは閉じて当該ケーブルを掴むことができる。
【００５１】
その後、ロッド挿入口６ａからロッド３を引き出すことで竿部２を収縮させて、ケーブルを手元に引き寄せることができる。この際、竿部２の外に引き出したロッド３は順次前方のロッド３から分離することができるため、狭い場所での作業が可能である。
【００５２】
なお、引き寄せるケーブルがケーブルキャッチ１の最大伸長長さより近い距離にある場合には、竿部２を完全に伸ばさずに、中空筒体２ａの内側の中空筒体２ｂ、２ｃ、２ｄのうち、内側のものから順に必要な段数だけ引き出し、引き出されている一番外側の中空筒体を手で持って作業してもよい。
【００５３】
次に、図８は、本考案のケーブルキャッチの第２の実施形態を示す、フレキ管と竿部の連結部の断面構造を含む部分側面図、図９は、当該ケーブルキャッチの連結部を分離した状態の断面構造を含む部分平面図であって、これらの図に示すケーブルキャッチ１Ａは、先に説明した第１の実施形態におけるケーブルキャッチ１と同じ符号を付している竿部２やロッド３等の部品については、共通のものが用いられている。
【００５４】
前記ケーブルキャッチ１Ａは、竿部２の中空筒体２ｄの前端に連結金具８Ａを介してフレキ管４Ａの後端が着脱自在に取り付けられている。前記連結金具８Ａの後端には、図９に示すように、中空筒体２ｄの連結金具７に形成されている雄ねじ７ｂと螺合するねじ穴８Ａａが形成されている。また、このねじ穴８Ａａの底部中心には、当該ねじ穴８Ａａと同軸に、ロッド３前端の雄ねじ側連結部３ａと螺合するねじ穴８Ａｂが形成されている。
【００５５】
一方、フレキ管４Ａの前端には、フック固定金具１７を介してケーブル係合フック１８が取り付けられている。前記ケーブル係合フック１８は、引き側係合部１８ａと押し側係合部１８ｂを有する硬質のステンレス線材等の金属線材で鈎状に形成されている。
【００５６】
図８及び図９に仮想線で示すように配置されたケーブル１９ａを手前に引き寄せる場合には、これらの図に示すように、当該ケーブル１９ａにその背後から引き側係合部１８ａを引っ掛け、竿部２を収縮させるか、または、竿部２全体を手前に引き寄せる。
【００５７】
また、これらの図に仮想線で示すように配置されたケーブル１９ｂを前方に送り渡す場合には、当該ケーブル１９ｂにその手前側から押し側係合部１８ｂを引っ掛けて、竿部２を伸長させるか、または竿部２全体を前方に押し出す。
【００５８】
次に、図１０は、フレキ管４Ａに必要に応じて装着する、フレキ管形状保持カバーの斜視図であって、同図に示すフレキ管形状保持カバー２０は、図８及び図９において説明したケーブルキャッチ１Ａのフレキ管４Ａに外嵌することにより、フレキ管４Ａが天井や壁の内部に突出している障害物との衝突で変形してしまうことを防ぐ、補助的に用いるアタッチメントである。
【００５９】
前記フレキ管形状保持カバー２０は、長手方向に連続するスリット２０ａを有する曲管状に形成されており、当該スリット２０ａを弾性的に拡げてフレキ管４Ａに側方から外周面に嵌着できるように構成されている。フレキ管形状保持カバー２０の素材としては、弾性変形が可能で且つ変形し難い硬質の樹脂素材、例えば、硬質の塩化ビニル等が好適である。
【００６０】
前記フレキ管形状保持カバー２０は、あらかじめ設定したフレキ管４Ａの屈曲形状に適合するように、数種類の湾曲形状のものを用意して選択的に装着してもよい。また、フレキ管形状保持カバー２０は、前述したケーブルキャッチ１Ａのフレキ管４Ａのみへの適用に限定するものではなく、本考案のケーブルキャッチの全てのフレキ管に適用可能である。
【００６１】
次に、図１１は、本考案のケーブルキャッチの第３の実施形態を示す側面図であって、同図に示すケーブルキャッチ１Ｂは、先に説明した第１の実施形態におけるケーブルキャッチ１と同じ符号を付している竿部２やロッド３等の部品については共通のものが用いられている。
【００６２】
同図に示すケーブルキャッチ１Ｂは、下方へ曲げたフレキ管４Ｂの前端から繰り出し可能なボールチェーン２１の先端に連結された、ケーブル係合フック２２を備えており、垂直な壁の上方からその内部へボールチェン２１を垂下させて、ケーブル係合フック２２を壁内部の下方にあるケーブルに引っ掛けてこれを引き上げる場合等に使用することができる。
【００６３】
図１２に示すように、ボールチェーン２１は、湾曲させたフレキ管４Ｂの内部を一列に移動可能な直径を有する複数のボール２１ａと、隣り合うボール２１ａ間を屈曲可能に連結している短い棒状のリンク２１ｂから構成されており、フレキ管４Ｂの屈曲形状に沿って、その内部を前後両方向に移動できるようになっている。
【００６４】
前記ボールチェーン２１の後端は、竿部２内に挿入されているロッド３と連結される連結金具２３に固定されている。前記連結金具２３は、その外周面が中空筒体２ｄの内周面に適合する略円筒状で、その後端面にロッド３前端の雄ねじ側連結部３ａと螺合するねじ穴２３ａが形成されている。
【００６５】
また、フレキ管４Ｂ後端に固定されている連結金具８Ｂには、中空筒体２ｄ前端の連結金具７の雄ねじ７ｂと螺合するねじ穴８Ｂａの前方位置に、環状ストッパ部８Ｂｂが形成されている。前記環状ストッパ部８Ｂｂは、ボールチェーン２１は通過可能であるが、その内径は連結金具２３の外径より小さく、連結金具２３のフレキ管４Ｂ内への侵入を規制するストッパの役割を果たしている。
【００６６】
また、前記ボールチェーン２１の下端は、係合フック２２に設けられているストッパ２４の上面に連結されている。前記ストッパ２４はフレキ管４Ｂ内へのボールチェーン２１の引き込み限界位置を規定するものであって、その上端外周縁部には、フレキ管４Ｂ前端に固定された口金２５内周の円錐状の着座面２５ａに当接する円錐面２４ａが形成されている。
【００６７】
また、前記ストッパ２４は、ボールチェーン２１をフレキ管４Ｂの前端から確実に繰り出すための重りを兼ねている。なお、ボールチェーン２１や係合フック２２の素材に、ステンレス鋼のような比較的比重の大きいものを用いる場合には、前記ストッパ２４は樹脂等で形成してもよい。
【００６８】
前述したように構成されているケーブルキャッチ１Ｂを使用する場合には、フレキ管４Ｂの先端の向きを図１１のように竿部２の長手方向に対して略９０°湾曲させ、竿部１Ｂを完全に伸長させてから、ボールチェーン２１をストッパ２４の円錐面２４ａが口金２５の着座面２５ａに当たるまで竿部２内に挿入したロッド３を後方に軽く引いて、ボールチェーン２１をフレキ管４Ｂ内に完全に引き込んだ状態で、ケーブルキャッチ１Ｂを天井の内側に水平に差し込み、フレキ管４Ｂの前端を下向きにして垂直壁の上端から内部に侵入させる。
【００６９】
次いで、ケーブルキャッチ１Ｂの竿部２の後端からロッド３を送り込むと、ボールチェーン２１は、フレキ管４Ｂの先端から下方に繰り出される。この際、ボールチェーン２１が長い場合は、必要に応じてロッド３を継ぎ足して竿部２内に送り込む。
【００７０】
ボールチェーン２１の下端に連結されている係合フック２２が壁の内部下方のケーブルまで到達したら、係合フック２２にケーブルを引っ掛けて、ロッド３を竿部２の後端から後方に引き出すことにより、ボールチェーン２１が牽引されて当該ケーブルを引き上げることができる。
【００７１】
なお、前述した各実施形態のものにおいては、竿部２を中空筒体２ａ〜２ｄからなる４段伸縮構成としているが、伸縮段数はこれに限定するものではなく、必要に応じて適宜増減することが可能である。
【００７２】
また、各実施形態におけるケーブルキャッチ１、１Ａ、１Ｂは、竿部２とロッド３を共用することができるとともに、フレキ管４、４Ａ、４Ｂから前方の部分のみを交換して使用することが可能であるため、製造や部品交換が容易であり、様々な場所の配線作業に幅広く対応することができる。
【符号の説明】
【００７３】
１、１Ａ、１Ｂ  ケーブルキャッチ
２  竿部
２ａ〜２ｄ  中空筒体
３  ロッド
３ａ  雄ねじ側連結部
３ｂ  雌ねじ側連結部
４  フレキ管
５  ケーブル把持部
５ａ  ケーブル把持爪
５ｂ  フレキ管取付凹部
５ｃ  ガイド孔
５ｄ  ばね収容凹部
５ｅ  後壁
６   キャップ
６ａ  ロッド挿入口
７   連結金具
７ａ  内周面
７ｂ  雄ねじ
８、８Ａ、８Ｂ  連結金具
８ａ  内周面
８ｂ  雌ねじ
８Ａａ、８Ａｂ、８Ｂａ  ねじ穴
８Ｂｂ  環状ストッパ部
９  嵌着スリーブ
１０  操作ワイヤ
１１  端末金具
１１ａ  ねじ穴
１２  嵌着スリーブ
１３  可動駒
１３ａ  小径部
１３ｂ  ばね受部
１３ｃ  把持爪取付部
１４    圧縮コイルばね
１５    ばね受リング
１６    ガイドローラ
１７    フック固定金具
１８    ケーブル係合フック
１８ａ  引き側係合部
１８ｂ  押し側係合部
１９ａ、１９ｂ  ケーブル
２０  フレキ管形状保持カバー
２０ａ  スリット
２１  ボールチェーン
２１ａ  ボール
２１ｂ  リンク
２２  係合フック
２３  連結金具
２３ａ  ねじ穴
２４  ストッパ
２４ａ  円錐面
２５  口金
２５ａ  着座面
【図１】
0003204265.tif 000003
【図２】
0003204265.tif 000004
【図３】
0003204265.tif 000005
【図４】
0003204265.tif 000006
【図５】
0003204265.tif 000007
【図６】
0003204265.tif 000008
【図７】
0003204265.tif 000009
【図８】
0003204265.tif 000010
【図９】
0003204265.tif 000011
【図１０】
0003204265.tif 000012
【図１１】
0003204265.tif 000013
【図１２】
0003204265.tif 000014